(57)【特許請求の範囲】
【請求項１】
映像信号のシンクチップをクランプするシンクチップクランプ回路と、該シンクチップクランプ回路のクランプ動作時に流れる電流を電圧変換し高域成分を除去する処理手段と、該処理手段の出力電圧を所定値と比較し検出信号あるいは非検出信号を出力する比較器とを備える映像信号検出回路において、
前記比較器から前記検出信号が出力するとき前記シンクチップクランプ回路に流れる電流又はこれに対応した電流から第１の電流を減算する電流減算手段を備え、該減算手段で減算して残った電流を前記処理手段に供給し、且つ前記比較器に前記第１の電流に対応したヒステリシスを設定したことを特徴とする映像信号検出回路。
【請求項２】
請求項１に記載の映像信号検出回路において、
前記比較器から前記検出信号が出力するとき前記シンクチップクランプ回路から前記処理手段に入力する電流の増幅度を切り替える増幅手段を具備し、前記比較器の前記ヒステリシスは前記第１の電流および前記増幅手段の増幅度の変化分に応じて設定したことを特徴とする映像信号検出回路。
【請求項３】
映像信号のシンクチップをクランプするシンクチップクランプ回路と、該シンクチップクランプ回路のクランプ動作時に流れる電流を電圧変換し高域成分を除去する処理手段と、該処理手段の出力電圧を所定値と比較し検出信号あるいは非検出信号を出力する比較器とを備える映像信号検出回路において、
前記比較器から前記非検出信号が出力するとき前記シンクチップクランプ回路に流れる電流又はこれに対応した電流から第１の電流を減算する電流減算手段を備えることを特徴とする映像信号検出回路。
【発明の詳細な説明】
【技術分野】
【０００１】
本発明は、映像信号を入力してその同期信号のシンクチップレベルが所定値に達しているか否かを検出することにより映像信号の有無を検出する映像信号検出回路に関するものである。
【背景技術】
【０００２】
この種の映像信号検出回路として、図５に示す回路がある。この回路では、入力端子１に入力する映像信号中の水平同期信号のタイミングにおいて、その同期信号のシンクチップレベルが所定以上に深いレベルにあると、電圧源Ｖ１でベースバイアスされているトランジスタＱ１のエミッタ電位が低下し、そのトランジスタＱ１がオンし、電流Ｉａが流れてキャパシタＣ１に図示の極性で充電され、その電圧がシンクチップクランプ電圧となる。キャパシタＣ１とトランジスタＱ１はシンクチップクランプ回路２を構成する。電流源Ｉ１はサグ改善用の放電電流Ｉ１をキャパシタＣ１に供給する。電流Ｉａは電流増幅回路３においてＮ倍に増幅され電流Ｉｂ（＝Ｎ・Ｉａ)としてＩ／Ｖ変換回路４に入力し、そこで電圧信号に変換され、次段のローパスフィルタ５に入力する。このローパスフィルタ５は同期信号のタイミング毎にＩ／Ｖ変換回路４から出力するパルス電圧を平滑する。このローパスフィルタ５の平滑出力電圧Ｖ２は、リミッタ回路６において規格外成分がクリップされて、比較器７Ａに入力する。そして、この比較器７Ａへの入力電圧Ｖ２が電圧源Ｖ３の電圧Ｖ３を超えているとき、出力端子８に高レベルの電圧を出力し、映像信号が検出されたことを示す。しかし、映像信号の同期信号のタイミング毎にトランジスタＱ１がオンしなければ、Ｉ／Ｖ変換回路４からパルス電圧は出力せず、比較器７Ａの出力電圧は低レベルのままとなり、映像信号が検出されないことを示す。
【発明の開示】
【発明が解決しようとする課題】
【０００３】
ところが、映像信号がＡＭ変調されているときやゴースト信号等のときは、その映像信号の同期信号のシンクチップレベルがトランジスタＱ１の動作するレベルの前後、つまり映像信号検出限界レベル近傍となることがあり、この場合は、ローパスフィルタ５の出力電圧Ｖ２が電圧Ｖ３付近で変動し、比較器７の検出出力が不安定となる。
【０００４】
本発明の目的は、入力する映像信号の同期信号のシンクチップレベルが検出限界レベルにあり、検出動作が不安定になるとき、その検出能力を向上させることにより、安定的な検出ができるようにした映像信号検出回路を提供することである。
【課題を解決するための手段】
【０００５】
請求項１にかかる発明は、映像信号のシンクチップをクランプするシンクチップクランプ回路と、該シンクチップクランプ回路のクランプ動作時に流れる電流を電圧変換し高域成分を除去する処理手段と、該処理手段の出力電圧を所定値と比較し検出信号あるいは非検出信号を出力する比較器とを備える映像信号検出回路において、前記比較器から前記検出信号が出力するとき前記シンクチップクランプ回路に流れる電流又はこれに対応した電流から第１の電流を減算する電流減算手段を備え、該減算手段で減算して残った電流を前記処理手段に供給し、且つ前記比較器に前記第１の電流に対応したヒステリシスを設定したことを特徴とする。
請求項２にかかる発明は、請求項１に記載の映像信号検出回路において、前記比較器から前記検出信号が出力するとき前記シンクチップクランプ回路から前記処理手段に入力する電流の増幅度を切り替える増幅手段を具備し、前記比較器の前記ヒステリシスは前記第１の電流および前記増幅手段の増幅度の変化分に応じて設定したことを特徴とする。
請求項３にかかる発明は、映像信号のシンクチップをクランプするシンクチップクランプ回路と、該シンクチップクランプ回路のクランプ動作時に流れる電流を電圧変換し高域成分を除去する処理手段と、該処理手段の出力電圧を所定値と比較し検出信号あるいは非検出信号を出力する比較器とを備える映像信号検出回路において、前記比較器から前記非検出信号が出力するとき前記シンクチップクランプ回路に流れる電流又はこれに対応した電流から第１の電流を減算する電流減算手段を備えることを特徴とする。
【発明の効果】
【０００６】
本発明によれば、シンクチップレベルが検出限界レベル近傍にあるとき、一旦検出すると、あるいは一旦非検出になるとその状態が保持され、また、ペデスタルレベルで流れる誤差電流分をキャンセルすることができ、検出動作が安定化する。
【発明を実施するための最良の形態】
【０００７】
[第１の実施例]
図１は本発明の第１の実施例の映像信号検出回路の回路図である。１は映像信号の入力端子１である。Ｃ１は結合用のキャパシタ、Ｑ１はバイアス電圧Ｖ１がベースに印加されたｎｐｎトランジスタであり、これらはシンクチップクランプ回路２を構成する。Ｉ１はサグ改善用の電流源（電流Ｉ１）であり、キャパシタＣ１の電荷を電流Ｉ１で放電する。３はカレントミラー回路等からなる電流増幅回路であり、入力電流ＩａをＮ倍増幅して電流Ｉｂ（＝Ｎ・Ｉａ）として出力する。４はその出力電流Ｉｂを電圧信号に変換するＩ／Ｖ変換回路、５はそのＩ／Ｖ変換回路４の出力パルスを平滑して直流電圧Ｖ２に変換するローパスフィルタ、６はローパスフィルタ５の出力電圧Ｖ２が予め決めた規格外になるとこれをクリップするリミッタ回路、７はローパスフィルタ４の出力電圧を電圧源Ｖ３の電圧Ｖ３と比較するヒステリシス付きの比較器である。Ｉ２は電流源（電流Ｉ２）、ＳＷ１はスイッチであり、これらの直列回路は電流増幅回路３の入力側と電源Vccとの間に接続されている。９は比較器７の出力電圧が高レベルになったときにスイッチＳＷ１をオンさせる制御信号を発生するスイッチ制御回路である。なお、電流増幅回路３、Ｉ／Ｖ変換回路４、ローパスフィルタ５およびリミッタ回路６等は特許請求の範囲の処理手段を構成する。また、スイッチ制御回路９、電流源Ｉ２、スイッチＳＷ１は特許請求の範囲の減算手段を構成する。
【０００８】
さて、本実施例では、入力端子１に入力する映像信号中の水平同期信号のタイミングにおいて、その同期信号のシンクチップレベルがペデスタルレベルよりも所定以上に深いレベルにあると、電圧源Ｖ１でバイアスされているトランジスタＱ１のエミッタの電位が低下し、そのトランジスタＱ１がオンし、電流Ｉａが流れてキャパシタＣ１に図示の極性で充電され、その電圧がシンクチップクランプ電圧となる。電流Ｉａは電流増幅回路３においてＮ倍増幅され電流Ｉｂ（＝Ｎ・Ｉａ）としてＩ／Ｖ変換回路４に入力し、そこで電圧信号に変換され、次段のローパスフィルタ５に入力する。このローパスフィルタ５は同期信号のタイミング毎にＩ／Ｖ変換回路４から出力するパルス電圧を平滑する。このローパスフィルタ５の平滑出力電圧Ｖ２は、リミッタ回路６において規格外のレベル分がクリップされて、比較器７に入力する。そして、この比較器７への入力電圧レベルＶ２が電圧源Ｖ３の電圧Ｖ３を超えているとき、出力端子８に高レベルの電圧を出力し、映像信号が検出される。しかし、映像信号の同期信号のタイミング毎にトランジスタＱ１がオンしなければ、Ｉ／Ｖ変換回路４からパルス電圧は出力せず、比較器７の出力電圧Ｖ２は電圧Ｖ３よりも低いレベルのままとなり、映像信号が検出されない。
【０００９】
また、映像信号が検出されて比較器７の出力電圧が高レベルになると、スイッチ制御回路９によってスイッチＳＷ１がオンされ、電流源Ｉ２がシンクチップクランプ回路２に接続されるので、同期信号のタイミング時にシンクチップクランプ回路２に流れる電流の一部には、電流源Ｉ２の電流Ｉ２が含まれることになる。つまり、シンクチップクランプ回路２に流れる電流をＩｃとすると、電流増幅回路３の入力電流Ｉａは、Ｉａ＝Ｉｃ−Ｉ２に減少する。
【００１０】
したがって、そのシンクチップレベルが十分に深いときは、電流Ｉｃが十分大きくなっており電流Ｉ２の影響は小さく、回路全体に影響を与えることなく、比較器７からは高レベルの電圧が出力され続ける。
【００１１】
しかし、そのシンクチップレベルが浅いときは、電流Ｉｃが小さいので電流Ｉ２の影響が大きくなって電流Ｉａが小さくなり、これに応じて電流Ｉｂも小さくなり、ローパスフィルタ４の出力電圧Ｖ２が電流Ｉ２に相当する分だけ低くなる。比較器７は電圧Ｖ４のヒステリシスをもち、その出力電圧が一旦高レベルになったことによって、電圧源Ｖ３の電圧は電圧Ｖ４だけ低い電圧Ｖ３’（＝Ｖ３−Ｖ４）になっている。
【００１２】
よって、比較器７のヒステリシス幅である電圧Ｖ４を、電流Ｉ２に相当する電圧より若干大きな電圧となるようにしておけば、比較器７の出力電圧が一旦高レベルとなると、その状態が保持されるので、映像信号検出動作が安定する。
【００１３】
この電流Ｉ２は検出限界のシンクチップレベルに応じて設定する。入力信号の１Ｖp-pを０dBとするとき、−３０dBまでの映像信号が検出可能な映像信号検出回路を実現する場合には、その−３０dBでの信号振幅は３０ｍＶp-pであるから、そのときのペデスタルレベルとシンクチップレベルの間の電圧差は約１／３の１０ｍＶとなり、これが検出限界となる。このような微小電位差のときは、トランジスタＱ１がシンクチップ時にオンして電流Ｉｃを流したとき、ペデスタルレベルに移行してもその電流を流し続けてしまうことがあるので、これは誤差電流となる。そこで、１０ｍＶ分に相当する誤差電流を電流Ｉ２として差し引くと電流Ｉａは誤差分をキャンセルした電流となる。電流Ｉ２については、シンクチップレベルからペデスタルレベルに移行したときのトランジスタＱ１のベース・エミッタ間電圧の変化ΔＶbeは、
ΔVbe＝２６mＶ×ln(Ｉｃ／Ｉ２）          (1)
となるので、この式(1)より、ΔVbeが１０ｍVになるときの電流Ｉ２を求めればよい。Ｉｃは正常動作時（ＮＴＳＣではシンクチップレベルとペデスタルレベルの差が２８６ｍＶのとき）の電流である。
【００１４】
以上から、従来の映像信号検出回路では検出限界のシンクチップレベル近辺では検出／非検出が繰り返される場合があったが、本実施例によれば、検出限界であってもそのシンクチップレベルを一旦検出すると、ペデスタルレベルで流れる誤差電流分をキャンセルし、且つそのシンクチップレベル検出状態を保持することができる。
【００１５】
[第２の実施例]
図２は第２の実施例の映像信号検出回路の回路図である。ここでは、電流増幅回路３の出力電流Ｉｂから電流Ｉ３を減算する電流源Ｉ３とスイッチＳＷ２を接続し、このスイッチＳＷ２をスイッチ制御回路９によりオン／オフ制御している。電流源Ｉ３の電流Ｉ３は、電流増幅回路３の増幅度をＮとすると、Ｉ３＝Ｎ・Ｉ２である。なお、スイッチ制御回路９、電流源Ｉ３、スイッチＳＷ２は特許請求の範囲の減算手段を構成する。図１で説明した第１の実施例ではシンクチップが検出されたとき、電流増幅回路３の入力電流ＩａをＩｃから「Ｉｃ−Ｉ２］に切り替えていたが、この図２の第２の実施例では出力電流をＩｂから「Ｉｂ−Ｉ３」に切り替えてＩ／Ｖ変換回路４に入力させる。構成上の違いは電流増幅回路３の入力側で減算処理するか出力側で減算処理するかである。本実施例では、検出限界であってもそのシンクチップレベルを一旦検出すると、ペデスタルレベルで流れる誤差電流分をキャンセルし、且つそのシンクチップレベル検出状態を保持することができる。
【００１６】
[第３の実施例]
図３は第３の実施例の映像信号検出回路の回路図である。ここでは、映像信号が検出されたとき、スイッチ制御回路９によって、電流増幅回路３の入力電流ＩａをＩｃから「Ｉｃ−Ｉ２」に切り替えるとともに、その電流増幅回路３の増幅度Ｎを切り替えるようにしたものである。比較器７のヒステリシス幅Ｖ４は電流Ｉ２と増幅度Ｎの変化分に応じて決めればよい。
【００１７】
[第４の実施例]
図４は第４の実施例の映像信号検出回路の回路図である。ここでは、映像信号が検出されたとき、スイッチ制御回路９によって、Ｉ／Ｖ変換回路４の入力電流ＩｂをＩ３だけ減少させるとともに、その電流増幅回路３の増幅度Ｎを切り替えるようにしたものである。比較器７のヒステリシス幅Ｖ４は電流Ｉ３と増幅度Ｎの変化分に応じて決めればよい。
【００１８】
[その他の実施例]
なお、図１の第１の実施例において、比較器７の出力が低電圧レベルになり映像信号が検出されないとなったとき、それをスイッチ制御回路９で検出して、スイッチＳＷ１をオンさせるようにしてもよい。この場合は、電流増幅回路３の入力電流ＩａはＩｃから「Ｉｃ−Ｉ２」に減少して、ローパスフィルタ５の出力電圧Ｖ２が低下するので、電流Ｉ２に相当する分以上にシンクチップレベルが深くならない限り映像信号非検出が保持され、誤差電流をキャンセルし、検知限界のシンクチップレベル近辺を非検知に強制し、安定動作を実現できる。この場合は比較器７にヒステリシスを持たせる必要はない。なお、図２の第２の実施例においても、比較器７の出力電圧が低レベルになり映像信号が検出されなかったとき、それをスイッチ制御回路９で検出して、スイッチＳＷ２をオンさせるようにすれば、同様に動作する。
【図面の簡単な説明】
【００１９】
【図１】第１の実施例の映像信号検出回路の回路図である。
【図２】第２の実施例の映像信号検出回路の回路図である。
【図３】第３の実施例の映像信号検出回路の回路図である。
【図４】第４の実施例の映像信号検出回路の回路図である。
【図５】従来の映像信号検出回路の回路図である。
【符号の説明】
【００２０】
１：映像信号入力端子
２：シンクチップクランプ回路
３：電流増幅回路
４：Ｉ／Ｖ変換回路
５：ローパスフィルタ
６：リミッタ回路
７，７Ａ：比較器
８：出力端子
９：スイッチ制御回路
【図１】
0004572153.tif 000002
【図２】
0004572153.tif 000003
【図３】
0004572153.tif 000004
【図４】
0004572153.tif 000005
【図５】
0004572153.tif 000006